(57)【要約】【課題】複数の再生ヘッドを組として用いたときに、目的のトラックを正しく再生する。【解決手段】１トラックに対して例えば２つの再生ヘッド５０−１，５０−２をトラック幅方向に位置をずらして設ける。信号選択器７３は、Ｃ１訂正器６２−１，６２−２の誤り訂正結果と、再生ヘッド５０−１，５０−２で得られた信号によって示されたトラック識別情報を用いて、目的のトラックのトレース状態が適正な再生ヘッドを判別する。この判別した再生ヘッドで得られた信号をＣ２訂正器７０に供給して出力信号を生成させる。複数の再生ヘッドを組として用いて、オフトラック余裕を広げたことにより、他のトラックが目的のトラックと同時に再生されても、目的のトラックのトレース状態が適正な再生ヘッドが選択されて、目的のトラックを正しく再生できる。【選択図】        図４
2004310866.tif 000002
【特許請求の範囲】
【請求項１】
１トラックに対してトラック幅方向に位置をずらして設けられた複数の再生ヘッドと、
前記複数の再生ヘッドから目的のトラックのトレース状態が適正な再生ヘッドを判別して、該判別した再生ヘッドで得られた信号を用いて出力信号を生成させる再生信号処理手段を有し、
前記再生信号処理手段は、前記複数の再生ヘッドで得られた信号から生成したデータの誤り訂正を行って得られた誤り訂正結果と、前記複数の再生ヘッドで得られた信号によって示されたトラック識別情報を用いて、前記適正な再生ヘッドの判別を行う
ことを特徴とする記録信号再生装置。
【請求項２】
前記再生信号処理手段は、誤り訂正可能であったことを示す誤り訂正結果が１つのとき、該誤り訂正結果を得たデータと対応する再生ヘッドを前記適正な再生ヘッドとし、
誤り訂正可能であったことを示す誤り訂正結果が複数のとき、あるいは誤り訂正可能であったことを示す誤り訂正結果が得られないとき、前記トラック識別情報が前記目的のトラックを示す信号と対応する再生ヘッドを前記適正な再生ヘッドと判別する
ことを特徴とする請求項１記載の記録信号再生装置。
【請求項３】
前記再生信号処理手段は、内符号パリティを用いた誤り訂正を行う
ことを特徴とする請求項１記載の記録信号再生装置。
【請求項４】
前記トラックは、シンクブロック単位で信号が順次記録されており、
前記再生信号処理手段は、同じシンクブロック部分をトレースした信号に基づく誤り訂正結果とトラック識別情報を用いて、前記適正な再生ヘッドの判別を前記シンクブロック単位で行う
ことを特徴とする請求項１記載の記録信号再生装置。
【請求項５】
１トラックに対してトラック幅方向に位置をずらして複数の再生ヘッドを設け、
前記複数の再生ヘッドで得られた信号から生成したデータの誤り訂正結果と、前記複数の再生ヘッドで得られた信号によって示されたトラック識別情報を用いて、前記複数の再生ヘッドから目的のトラックのトレース状態が適正な再生ヘッドを判別して、該判別した再生ヘッドで得られた信号を用いて出力信号を生成させる
ことを特徴とする記録信号再生方法。
【請求項６】
誤り訂正可能であったことを示す誤り訂正結果が１つのとき、該誤り訂正結果を得たデータと対応する再生ヘッドを前記適正な再生ヘッドとし、
誤り訂正可能であったことを示す誤り訂正結果が複数のとき、あるいは誤り訂正可能であったことを示す誤り訂正結果が得られないとき、前記トラック識別情報が前記目的のトラックを示す信号と対応する再生ヘッドを前記適正な再生ヘッドと判別する
ことを特徴とする請求項５記載の記録信号再生方法。
【請求項７】
前記誤り訂正結果は、内符号パリティを用いた誤り訂正結果である
ことを特徴とする請求項５記載の記録信号再生方法。
【請求項８】
前記トラックは、シンクブロック単位で信号が順次記録されており、
同じシンクブロック部分をトレースした信号に基づく誤り訂正結果とトラック識別情報を用いて、前記適正な再生ヘッドの判別を前記シンクブロック単位で行う
ことを特徴とする請求項５記載の記録信号再生方法。
【発明の詳細な説明】
【０００１】
【発明の属する技術分野】
この発明は、記録信号再生装置および記録信号再生方法に関する。詳しくは、１トラックに対してトラック幅方向に位置をずらして複数の再生ヘッドを設け、再生ヘッドで得られた信号から生成したデータの誤り訂正結果と、複数の再生ヘッドで得られた信号によって示されたトラック識別情報を用いて、複数の再生ヘッドから目的のトラックのトレース状態が適正な再生ヘッドを判別して、この判別した再生ヘッドで得られた信号を用いて出力信号を生成させるものである。
【０００２】
【従来の技術】
記録信号再生装置、例えば磁気テープ記録されている信号を再生できるビデオテープレコーダでは、記録密度を向上させるための１つの手段として、狭トラックピッチ化が進められている。狭トラックピッチ化が進むにしたがって、記録されたトラックを再生ヘッドで高精度にトレースさせる必要がある。ここで、再生ヘッドでトラックをトレースして記録されている信号を読み出す際に、トラックずれに対する余裕度が少ないと、記録されている信号を正しく読み出すことができなくなってしまう。このため、例えば特許文献１に示す磁気記録再生装置のように、記録ヘッドのトラック幅より大きいトラック幅を有する同じアジマスのペアヘッドを構成する２個で１組の再生ヘッドを備え、これら２個で１組の再生ヘッドをトラック幅方向に一部が重なる範囲内の段差を有する状態で、１つの記録トラックを同時に読み取ることで、トラックずれに対する余裕度を高めることが行われている。
【０００３】
【特許文献１】
特開平８−２９７８２１号公報
【０００４】
【発明が解決しようとする課題】
ところで、２個で１組の再生ヘッドを備えるものとしたとき、トラックずれに対する余裕度を高めるために段差を大きくすると、トラックずれ量が大きくなったとき、一方の再生ヘッドでは目的のトラックを再生し、他方の再生ヘッドではアジマスの等しい他のトラックを再生してしまう場合が生ずるおそれがある。このような場合、他方の再生ヘッドからの信号を磁気記録媒体から読み出した信号として用いてしまうと、正しい再生信号を得ることができなくなってしまう。
【０００５】
そこで、この発明では、複数の再生ヘッドを組として用いるときに、目的のトラックを正しく再生できる記録信号再生装置および記録信号再生方法を提供するものである。
【０００６】
【課題を解決するための手段】
この発明に係る記録信号再生装置は、１トラックに対してトラック幅方向に位置をずらして設けられた複数の再生ヘッドと、前記複数の再生ヘッドから目的のトラックのトレース状態が適正な再生ヘッドを判別して、該判別した再生ヘッドで得られた信号を用いて出力信号を生成させる再生信号処理手段を有し、前記再生信号処理手段は、前記複数の再生ヘッドで得られた信号から生成したデータの誤り訂正を行って得られた誤り訂正結果と、前記複数の再生ヘッドで得られた信号によって示されたトラック識別情報を用いて、前記適正な再生ヘッドの判別を行うものである。
【０００７】
また記録信号再生方法は、１トラックに対してトラック幅方向に位置をずらして複数の再生ヘッドを設け、前記複数の再生ヘッドで得られた信号から生成したデータの誤り訂正結果と、前記複数の再生ヘッドで得られた信号によって示されたトラック識別情報を用いて、前記複数の再生ヘッドから目的のトラックのトレース状態が適正な再生ヘッドを判別して、該判別した再生ヘッドで得られた信号を用いて出力信号を生成させるものである。
【０００８】
この発明においては、１トラックに対してトラック幅方向に位置をずらして複数の再生ヘッドが設けられて、信号がシンクブロック単位で順次記録されたトラックのトレースが行われる。ここで、複数の再生ヘッドで得られた信号から同じシンクブロック部分をトレースした信号から生成したデータの誤り訂正結果と、トレースした信号によって示されたトラック識別情報を用いて、目的のトラックのトレース状態が適正な再生ヘッドの判別がシンクブロック単位で行われて、この判別した再生ヘッドで得られた信号を用いて出力信号が生成される。
【０００９】
【発明の実施の形態】
以下、図を参照しながら、この発明の実施の一形態について説明する。図１は、この発明の記録信号再生装置で用いられるヘッドアセンブリ１０を示している。ヘッドアセンブリ１０では、１つのトラックＴＲＡに対して複数の再生ヘッドがトラック幅方向に位置をずらして設けられる。例えば、トラックＴＲＡに対して再生ヘッド１０−１と再生ヘッド１０−２が設けられると共に、再生ヘッド１０−２は、再生ヘッド１０−１に対してトラックＴＲＡの幅方向に位置をずらして設けられている。なお、ヘッドアセンブリ１０は、１つの再生ヘッド内に複数のヘッドギャップをトラック幅方向に位置をずらして形成するものとしても良く、以下の説明では、再生ヘッドを複数設けた場合について説明している。
【００１０】
再生ヘッド１０−１，１０−２におけるヘッドギャップのトラック幅Ｗｒは、トラックＴＲＡのトラック幅Ｗｔに比べて広く構成されている。再生ヘッド１０−１に対する再生ヘッド１０−２のトラック幅方向のずれ量は、再生ヘッド１０−１のトレース位置がトラック幅方向に位置ずれを生じて、トラックＴＲＡの信号を正しく再生できなくなっても、再生ヘッド１０−２によってトラックＴＲＡをトレースして、トラックＴＲＡの信号を正しく再生できるように設定する。
【００１１】
図２は、再生ヘッドの出力レベルとオフトラック量の関係を示している。ここで、説明を簡単とするため、図２Ｂに示すように再生ヘッド１０−１の中心とトラックＴＲＡの中心が等しいときの位置をオフトラック量「０」と仮定する。
【００１２】
オフトラック量が「０」であるとき、再生ヘッド１０−１の出力レベルは、図２Ａに示すようにレベルＬ１となる。ここで、トラックＴＲＡの位置が再生ヘッド１０−１に対して矢印ａ方向に位置ずれを生じて、図２Ｃに示すオフトラック量ＰＥ１よりも大きくなると、トラックＴＲＡが再生ヘッド１０−１から外れてしまうため、図２Ａに示すように、オフトラック量の増加に伴い、再生ヘッド１０−１の出力レベルが低下する。同様に、トラックＴＲＡの位置が再生ヘッド１０−１に対して矢印ａ方向とは逆方向である矢印ｂ方向に位置ずれを生じて、図２Ｄに示すオフトラック量ＰＥ１よりも大きくなると、トラックＴＲＡが再生ヘッド１０−１から外れてしまうため、図２Ａに示すように、オフトラック量の増加に伴い、再生ヘッド１０−１の出力レベルが低下する。
【００１３】
次に、図２Ｅに示すようにオフトラック量がＰＥ２となって、再生ヘッド１０−１にかかるトラック幅と再生ヘッド１０−２にかかるトラック幅が略等しくなると、再生ヘッド１０−１，１０−２の出力特性が等しいとき、図２Ａに示すように出力レベルが等しくなる。
【００１４】
トラックＴＲＡが更に矢印ｂ方向に移動して、図２Ｆに示すオフトラック量がＰＥ３よりも大きくなると、トラックＴＲＡが再生ヘッド１０−２から外れることとなるため、図２Ａに示すように、オフトラック量の増加に伴い、再生ヘッド１０−２の出力レベルが低下する。
【００１５】
このため、例えば出力レベルが「Ｌ２」よりも大きくなるオフトラック範囲をオフトラック余裕としたとき、再生ヘッド１０−１とトラック幅方向に位置をずらした再生ヘッド１０−２を設けるものとして、目的のトラックを再生しているときの出力レベルが「Ｌ２」よりも大きくなる再生ヘッドを、トレース状態が適正な再生ヘッドとして、この再生ヘッドで得られた信号を選択して用いる。このときのオフセット余裕は「Ｑｄ」となり、１つの再生ヘッドを用いるときのオフトラック余裕「Ｑｓ」よりも、オフセット余裕を広げることができる。
【００１６】
また、図２Ｅに示すように、再生ヘッド１０−１と再生ヘッド１０−２のそれぞれにかかるトラック幅が略等しくなったときの出力レベルがレベル「Ｌ２」となるように再生ヘッドの位置ずらし量を設定すれば、オフトラック余裕を最大に設定することも可能となる。また、再生ヘッド１０−１と再生ヘッド１０−２のそれぞれにかかるトラック幅が略等しくなる位置をオフトラック量「０」とすることで、トラックＴＲＡの矢印ａ方向の位置ずれに対するオフトラック余裕と矢印ｂ方向の位置ずれに対するオフトラック余裕をほぼ等しくすることができる。
【００１７】
図３は、再生ヘッド１０−１と再生ヘッド１０−２でトラックＴＲＡを再生したときのトラック再生状態を示しており、図３Ａは、トラックＴＲＡと再生ヘッド１０−１，１０−２を模式的に示したものである。このように曲がりを生じたトラックＴＲＡを再生ヘッド１０−１で再生したとき、再生ヘッド１０−１の出力レベルは、図３Ｂに示すものとなる。すなわち、再生ヘッド１０−１の出力レベルは、トレースされるトラックＴＲＡの幅に応じたレベルとなる。また、トラックＴＲＡを再生ヘッド１０−２で再生したとき、再生ヘッド１０−２の出力レベルは、図３Ｃに示すものとなる。すなわち、再生ヘッド１０−２の出力レベルは、トレースされるトラックＴＲＡの幅に応じたレベルとなる。このため、再生ヘッド１０−１，１０−２の出力レベルに基づいて、トラックＴＲＡのトレース状態が適正な再生ヘッドを判別し、この適正な再生ヘッドと判別された再生ヘッドで得られた再生信号を順次選択することで、オフトラック余裕の広い記録信号再生装置を得ることができる。
【００１８】
ここで、複数の再生ヘッドでトレースされるトラックは、記録媒体の駆動方向に形成されたトラック例えば磁気テープの長手方向に形成されたトラック、あるいは駆動方向に対して傾斜して形成されたトラック例えばビデオテープレコーダのようにヘリカルスキャン方式で磁気テープに形成された傾斜トラック等であっても良い。
【００１９】
図４は、この発明に係る記録信号再生装置をビデオテープレコーダに適用した場合の構成を示している。
【００２０】
ディジタルの記録ビデオ信号ＤＶｗは、ビデオ圧縮器２０で例えばＭＰＥＧ（Ｍｏｖｉｎｇ  Ｐｉｃｔｕｒｅ  Ｅｘｐｅｒｔｓ  Ｇｒｏｕｐ）方式で圧縮されて、符号化データＤＰｗとしてパリティ付加器２５に供給される。
【００２１】
パリティ付加器２５は、符号化データＤＰｗに対して誤り訂正符号を生成して付加する。例えば、符号長が「Ｎｃ」，情報数が「ＫＮｃ」のリード・ソロモン符号を内符号パリティＣ１として生成すると共に、符号長が「Ｍｃ」，情報数が「ＫＭｃ」のリード・ソロモン符号を外符号パリティＣ２として生成するとき、符号化データＤＰｗをメモリ（図示せず）の水平方向に符号長「ＫＮｃ」分だけ書き込み、符号長「ＫＮｃ」分の書き込みが行われる毎に、書き込み位置を垂直方向に移動させて、水平方向が符号長「ＫＮｃ」分，垂直方向が符号長「ＫＭｃ」分のデータ書き込みを行う。その後、メモリのデータを垂直方向に順次読み出して外符号パリティＣ２を算出する。次に、メモリのデータを水平方向に順次読み出して内符号パリティＣ１を算出する。また、垂直方向毎に生成されている情報数「ＫＭｃ」の外符号パリティＣ２を水平方向に読み出して外符号パリティＣ２に対する内符号パリティＣ１を生成する。このようにして生成した内符号パリティＣ１，外符号パリティＣ２を符号化データＤＰｗに付加して、符号化データＤＱｗを生成する。
【００２２】
記録部３０は、パリティ付加器２５で生成された符号化データＤＱｗに同期符号や識別符号を付加して、トラック毎の記録データＷＤを生成する。さらに、記録データＷＤのチャネルコーディングを行い、得られた信号を記録電流ＷＳに変換して、回転ドラムに搭載された記録ヘッド３５に供給する。
【００２３】
記録ヘッド３５は、ヘリカルスキャン方式で磁気テープ４０への信号記録を行いトラックＴＲＡを形成する。なお、トラックＴＲＡと隣接するトラックＴＲＢは、所定のアジマス角を有するものである。
【００２４】
図５は、トラックＴＲＡのパターンを説明するための図である。トラックＴＲＡには、図５Ａに示すように、映像データを記録する映像セクタと音声データを記録する音声セクタが設けられている。なお、図５Ａでは映像セクタの間に音声セクタが設けられた場合を示しているが、音声セクタの間に映像セクタを設けるものとしても良い。また、映像セクタと音声セクタの間や音声セクタ間にエディットギャップを設けて、映像や音声の編集の際に独立してデータを書き換え可能とするものであってもよい。
【００２５】
図５Ｂは、記録データＷＤの構成を示している。Ｍｃ×Ｎｃバイト分の符号化データＤＰｗには、Ｍｃバイトの符号化データＤＰｗ毎に算出された外符号パリティＣ２が付加される。また、Ｎｃバイトの符号化データＤＰｗあるいは外符号パリティＣ２毎に算出された内符号パリティＣ１が付加されて符号化データＤＱｗが生成される。このＮｃバイトの符号化データＤＰｗと算出された内符号パリティＣ１からなる符号化データＤＱｗ毎に同期符号と識別符号を付加して、あるいはＮｃバイトの外符号パリティＣ２と算出された内符号パリティＣ１からなる符号化データＤＱｗ毎に同期符号と識別符号を付加して、１シンクブロックの記録データとする。このシンクブロック単位の記録データに基づいた記録信号ＷＳを記録ヘッド３５に供給して磁気テープ４０に対する記録を行い、映像セクタを構成する。ここで、識別符号は、個々のトラックを判別可能とするために設定されたトラック識別情報ＴＩＤや、トラックがいずれのセグメントに属しているかを判別可能とするために設定されたセグメント識別情報ＳＩＤ等からなるものである。なお、図示せずも映像セクタと同様にして音声セクタを構成できる。
【００２６】
磁気テープ４０に記録されている信号は、ヘッドアセンブリ５０の再生ヘッド５０−１，５０−２によって読み出される。この再生ヘッド５０−１，５０−２は、上述したようにトラック幅方向に位置をずらして設けられる。
【００２７】
再生ヘッド５０−１で得られた再生信号ＲＳ−１は、再生信号処理部６０の復号回路６１−１に供給される。復号回路６１−１では、再生信号ＲＳ−１の振幅や位相を調整して波形整形を行い、さらに記録部３０で行われるチャネルコーディングに対応した復号処理を行って再生データＲＤ−１を生成する。この再生データＲＤ−１は、Ｃ１訂正器６２−１に供給される。
【００２８】
再生ヘッド５０−２で得られた再生信号ＲＳ−２は、再生信号処理部６０の復号回路６１−２に供給される。復号回路６１−２は、復号回路６１−１と同様に、再生信号ＲＳ−２の振幅や位相を調整して波形整形を行い、さらに復号処理を行って再生データＲＤ−２を生成する。この再生データＲＤ−２は、Ｃ１訂正器６２−２に供給される。
【００２９】
Ｃ１訂正器６２−１は、再生データＲＤ−１を構成する符号化データＤＱｒ−１に含まれた内符号パリティＣ１を用いて誤り訂正を行い、誤り訂正結果ＣＫ−１を信号選択器６３に通知する。また、誤り訂正が行われた再生データを再生データＲＥ−１として信号選択器６３に供給する。なお、誤り訂正結果ＣＫ−１の通知では、誤り訂正結果ＣＫ−１を再生データＲＥ−１に埋め込んで信号選択器６３に供給すれば、１つの信号ストリームとして、誤り訂正結果ＣＫ−１と再生データＲＥ−１を信号選択器６３に供給できる。
【００３０】
Ｃ１訂正器６２−２は、Ｃ１訂正器６２−１と同様に、再生データＲＤ−２を構成する符号化データＤＱｒ−２に含まれている内符号パリティＣ１を用いて誤り訂正を行い、誤り訂正が行われた再生データと誤り訂正結果ＣＫ−２を示す再生データＲＥ−２を信号選択器６３に供給する。
【００３１】
信号選択器６３は、Ｃ１訂正器６２−１，６２−２から供給された誤り訂正結果ＣＫ−１，ＣＫ−２、再生データＲＥ−１に含まれている識別符号で示されたトラック識別情報ＴＩＤ−１、および再生データＲＥ−２に含まれている識別符号で示されたトラック識別情報ＴＩＤ−２を利用して、Ｃ２訂正器７０に供給する信号の選択を行う。
【００３２】
ここで、再生データＲＥ−１，ＲＥ−２に含まれるトラック識別情報は、再生ヘッド５０−１，５０−２のオフトラック量に応じた情報となる。図６は、再生ヘッドの位置とトラック識別情報の関係を示している。例えば図６Ａに示すように、再生ヘッド５０−１が目的のトラックＴＲＡｎの中央に位置する「状態３」の場合、図６Ｂに示すように、再生データＲＥ−１のトラック識別情報ＴＩＤ−１によってトラックＴＲＡｎであることが示される。また目的のトラックＴＲＡｎに隣接するトラックＴＲＢｎはアジマスが異なるものとされていると共に、再生ヘッド５０−２でトレースされるトラックＴＲＡｎの幅が狭いため、トラックＴＲＡｎの再生信号の信号レベルは小さいものとなり、再生データＲＥ−２を得ることができずトラック識別情報ＴＩＤ−２はエラーとなる。
【００３３】
また、「状態４」のように、再生ヘッド５０−１でトレースされるトラックＴＲＡｎの幅と再生ヘッド５０−２でトレースされるトラックＴＲＡｎの幅がほぼ等しいときには、再生データＲＥ−１のトラック識別情報ＴＩＤ−１によってトラックＴＲＡｎであることが示されると共に、再生データＲＥ−２のトラック識別情報ＴＩＤ−２によってトラックＴＲＡｎであることが示される。
【００３４】
さらに、オフトラック量が大きく、「状態６」のように再生ヘッド５０−１でトレースされるトラックＴＲＡｎ−１の幅と再生ヘッド５０−２でトレースされるトラックＴＲＡｎの幅がほぼ等しいときには、再生データＲＥ−１のトラック識別情報ＴＩＤ−１によってトラックＴＲＡｎ−１であることが示されると共に、再生データＲＤ−２のトラック識別情報ＴＩＤ−２によってトラックＴＲＡｎであることが示される。
【００３５】
以上のように、オフトラック量に応じて、トラック識別情報が異なるものとなる。すなわち、トラック識別情報によって、トレース時のオフトラック量がどのような状態であるかを判別できる。
【００３６】
図７は、信号選択器６３の構成を例示している。ここで、再生ヘッド５０−１が再生ヘッド５０−２に対して先行する位置であるとき、再生ヘッド５０−１で得られた再生信号ＲＳ−１に基づく再生データＲＤ−１の誤り訂正後のデータ、すなわちＣ１訂正器６２−１からの再生データＲＥ−１は、遅延回路６３１に供給される。なお、再生データＲＥ−１には、誤り訂正結果ＣＫ−１が埋め込まれているものとする。
【００３７】
遅延回路６３１は、再生ヘッド５０−１と再生ヘッド５０−２とのトレース方向の距離に応じた時間差分だけ再生データＲＥ−１を遅延させて、Ｃ１訂正器６２−２から供給された再生データＲＥ−２および誤り訂正結果ＣＫ−２とシンクブロック単位でほぼ位相を合わせる。この遅延回路６３１で、遅延された再生データＲＥ−１は、遅延再生データＲＥ−１ｄとして、書込アドレスカウンタ６３２−１と判定情報出力回路６３３−１とメモリ６３４−１に供給される。なお、メモリ６３４−１および後述するメモリ６３４−２は、データの書き込みと読み出しを同時に行うことができるメモリ、例えばデュアルポートＲＡＭ（Ｒａｎｄｏｍ  Ａｃｃｅｓｓ  Ｍｅｍｏｒｙ）を用いる。
【００３８】
書込アドレスカウンタ６３２−１は、１シンクブロックの再生データＲＥ−１に含まれている映像や音声の符号化データあるいは外符号パリティＣ２をメモリ６３４−１に書き込むための書込アドレス信号ＡＲｗ−１を生成して、メモリ６３４−１に供給する。メモリ６３４−１は、書込アドレス信号ＡＲｗ−１に基づき、映像や音声の符号化データあるいは外符号パリティＣ２を記憶する。また、書込アドレスカウンタ６３２−１は、ライトアドレスが１シンクブロック分の１／２に達したとき、セット信号ＦＳ−１を判定情報出力回路６３３−１に供給する。また、ライトアドレスが１シンクブロック分に達したときには、ライトアドレス完了信号ＦＦ−１を判定回路６３５に供給する。
【００３９】
判定情報出力回路６３３−１は、遅延再生データＲＥ−１ｄから誤り訂正結果ＣＫ−１とトラック識別情報ＴＩＤ−１を抽出すると共に、書込アドレスカウンタ６３２−１からセット信号ＦＳ−１が供給されたタイミングで、誤り訂正結果ＣＫ−１とトラック識別情報ＴＩＤ−１をラッチして判定回路６３５に供給する。さらに、判定情報出力回路６３３−１は、有効性フラグＦＶ−１を判定回路６３５に供給する。この有効性フラグＦＶ−１は、誤り訂正結果ＣＫ−１とトラック識別情報ＴＩＤ−１をラッチして判定回路６３５に供給する際に、有効状態に設定する。また、後述する判定回路６３５からリセット信号ＦＲ−１が供給されたときには、有効性フラグＦＶ−１を無効状態に設定する。
【００４０】
書込アドレスカウンタ６３２−２は、書込アドレスカウンタ６３２−１と同様に、再生データＲＤ−２に含まれている映像や音声の符号化データあるいは外符号パリティＣ２をメモリ６３４−２に書き込むための書込アドレス信号ＡＲｗ−２を生成し、メモリ６３４−２に供給する。メモリ６３４−２は、書込アドレス信号ＡＲｗ−２に基づき、映像や音声の符号化データあるいは外符号パリティＣ２を記憶する。また、書込アドレスカウンタ６３２−２は、ライトアドレスが１シンクブロック分の１／２に達したときには、セット信号ＦＳ−２を生成して判定情報出力回路６３３−２に供給する。また、ライトアドレスが１シンクブロック分に達したときには、ライトアドレス完了信号ＦＦ−２を生成して判定回路６３５に供給する。
【００４１】
判定情報出力回路６３３−２は、判定情報出力回路６３３−１と同様に、再生データＲＥ−２から誤り訂正結果ＣＫ−２とトラック識別情報ＴＩＤ−２を抽出すると共に、書込アドレスカウンタ６３２−２からセット信号ＦＳ−２が供給されたタイミングで、誤り訂正結果ＣＫ−２とトラック識別情報ＴＩＤ−２をラッチして判定回路６３５に供給する。さらに、判定情報出力回路６３３−２は、有効性フラグＦＶ−２を判定回路６３５に供給する。この有効性フラグＦＶ−２は、誤り訂正結果ＣＫ−２とトラック識別情報ＴＩＤ−２をラッチして判定回路６３５に供給する際に、有効状態に設定する。また、後述する判定回路６３５からリセット信号ＦＲ−２が供給されたときには、有効性フラグＦＶ−２を無効状態に設定する。
【００４２】
判定回路６３５は、ライトアドレス完了信号ＦＦ−１あるいはライトアドレス完了信号ＦＦ−２のいずれかが供給される毎に、ライトアドレス完了信号ＦＦ−１，ＦＦ−２と有効性フラグＦＶ−１，ＦＶ−２、誤り訂正結果ＣＫ−１，ＣＫ−２、トラック識別情報ＴＩＤ−１，ＴＩＤ−２に基づいて、リセット信号ＦＲ−１，ＦＲ−２と選択信号ＳＥおよび読出開始信号ＳＲの生成を行う。このリセット信号ＦＲ−１，ＦＲ−２は、上述したように、有効性フラグを無効状態に設定する信号である。また、選択信号ＳＥは、メモリ６３４−１，６３４−２の何れから信号の読み出しを行うか設定する信号であり、読出開始信号ＳＲは、設定したメモリから信号の読み出しを開始させる信号である。このリセット信号ＦＲ−１は判定情報出力回路６３３−１に供給し、リセット信号ＦＲ−２は判定情報出力回路６３３−２に供給する。また、選択信号ＳＥおよび読出開始信号ＳＲは読出アドレスカウンタ６３６に供給する。
【００４３】
読出アドレスカウンタ６３６は、読出開始信号ＳＲに基づいて読出アドレス信号ＡＲｒを生成すると共に、この読出アドレス信号ＡＲｒを選択信号ＳＥで示されたメモリに供給する。また、選択信号ＳＥに基づいた切換信号ＳＦを生成して切換回路６３７に供給する。
【００４４】
切換回路６３７の端子ａにはメモリ６３４−１から読み出されたデータが供給され、端子ｂにはメモリ６３４−２から読み出されたデータが供給される。また、可動端子ｃはＣ２訂正器７０と接続されており、選択信号ＳＥがメモリ６３４−１を示しているときは、切換信号ＳＦによって可動端子ｃを端子ａ側に切り換えて、メモリ６３４−１から読み出したデータを切換回路６３７で選択して、符号化データＤＱＣｒとしてＣ２訂正器７０に供給する。また、選択信号ＳＥがメモリ６３４−２を示しているときは、切換信号ＳＦによって可動端子ｃを端子ｂ側に切り換えて、メモリ６３４−２から読み出したデータを切換回路６３７で選択して、符号化データＤＱＣｒとしてＣ２訂正器７０に供給する。
【００４５】
なお、図７に示す信号選択器６３では、判定情報出力回路６３３−１，６３３−２から誤り訂正結果やトラック識別情報等を判定回路６３５に供給するものとしたが、例えばテープ走行や後述するダイナミックトラッキングヘッドの駆動におけるサーボ動作でトラック識別情報等が用いられているときには、このサーボ動作で用いたトラック識別情報を判定回路６３５に供給するものとしても良い。
【００４６】
図４のＣ２訂正器７０は、符号化データＤＱＣｒに含まれている外符号パリティＣ２を用いて誤り訂正を行い、誤り訂正後の符号化データＤＰｒをビデオ伸長器７５に供給する。ビデオ伸長器７５は、供給された符号化データＤＰｒの復号化を行い、ディジタルの再生ビデオ信号ＤＶｒとして出力する。
【００４７】
なお、図４では目的のトラックのトレース状態が適正であると判別された再生ヘッドで得られた信号を用いて、再生ビデオ信号ＤＶｒを出力されるものとしたが、出力信号は誤り訂正後の信号や復号化が行われた信号に限られるものでないことは勿論である。
【００４８】
図８は、信号選択器６３の動作を示すタイミングチャートである。図８Ａは再生データＲＥ−１を示しており、図８Ｂは遅延回路６３１から出力された遅延再生データＲＥ−１ｄを示している。また、図８Ｊは、再生データＲＥ−２を示しており、遅延再生データＲＥ−１ｄと再生データＲＥ−２は、シンクブロック単位でほぼ同期するものとされる。図８Ｃは書込アドレス信号ＡＲｗ−１で示されたアドレス、図８Ｋは書込アドレス信号ＡＲｗ−２で示されたアドレスを示している。
【００４９】
時点ｔ１で、書込アドレス信号ＡＲｗ−２が１シンクブロック分の１／２となって図８Ｌに示すセット信号ＦＳ−２が判定情報出力回路６３３−２に供給される、すなわちセット信号ＦＳ−２がハイレベル「Ｈ」とされると、図８Ｑに示すように、誤り訂正結果ＣＫ−２とトラック識別情報ＴＩＤ−２がラッチされて判定回路６３５に供給される。また、図８Ｐに示すように、有効性フラグＦＶ−２が有効状態に設定される。なお、図８においてセット信号ＦＳ−１，ＦＳ−２、ライトアドレス完了信号ＦＦ−１，ＦＦ−２、リセット信号ＦＲ−１，ＦＲ−２の供給は、信号がハイレベル「Ｈ」とされることで示している。
【００５０】
次に、時点ｔ２で、書込アドレス信号ＡＲｗ−１が１シンクブロック分の１／２となって図８Ｄに示すようにセット信号ＦＳ−１が判定情報出力回路６３３−１に供給されると、図８Ｈに示すように、誤り訂正結果ＣＫ−１とトラック識別情報ＴＩＤ−１がラッチされて判定回路６３５に供給される。また、図８Ｇに示すように、有効性フラグＦＶ−２が有効状態に設定される。
【００５１】
時点ｔ３で、書込アドレス信号ＡＲｗ−２が１シンクブロック分となって図８Ｍに示すライトアドレス完了信号ＦＦ−２が判定情報出力回路６３３−２に供給されると、判定回路６３５は、ライトアドレス完了信号ＦＦ−１，ＦＦ−２と有効性フラグＦＶ−１，ＦＶ−２、誤り訂正結果ＣＫ−１，ＣＫ−２、トラック識別情報ＴＩＤ−１，ＴＩＤ−２に基づいて、リセット信号ＦＲ−１，ＦＲ−２と選択信号ＳＥおよび読出開始信号ＳＲの生成を行う。
【００５２】
判定回路６３５は、有効性フラグＦＶ−１，ＦＶ−２によって有効状態とされたときの誤り訂正結果ＣＫ−１と誤り訂正結果ＣＫ−２において、一方は誤り訂正が可能であったことを示し、他方は誤り訂正が不能であったことを示す場合、誤り訂正が完了したＣ１訂正器と接続されているメモリを選択するように選択信号ＳＥを生成する。また、誤り訂正結果ＣＫ−１，ＣＫ−２が共に誤り訂正が可能であったこと、あるいは誤り訂正が不能であったことを示した場合、目的のトラック識別情報を示す再生データを出力したＣ１訂正器に接続されているメモリを選択するように選択信号ＳＥを生成する。
【００５３】
図９は、判定回路６３５の動作を一覧表として例示したものである。ここで、ライトアドレス完了信号ＦＦ−１，ＦＦ−２において、「１」は１シンクブロック分に達したことを示しており、１シンクブロックに達した時点で判定を行う。「０」は１シンクブロック分に達していないことを示している。有効性フラグＦＶ−１，ＦＶ−２において、「１」は有効状態、「０」は無効状態を示しており、判定は有効状態とされている誤り訂正結果とトラック識別情報を用いて行う。誤り訂正結果ＣＫ−１，ＣＫ−２において、「ＯＫ」は誤り訂正が可能であったことを示し、「ＮＧ」は誤り訂正が不能であったことを示している。トラック識別情報ＴＩＤ−１，ＴＩＤ−２において、「ＯＫ」は目的のトラックのトラック識別情報が得られていることを示しており、「ＮＧ」は目的のトラックのトラック識別情報が得られていないことを示している。選択信号ＳＥにおいて、「先行」は再生ヘッド５０−１によって得られた信号に基づくデータが記憶されているメモリ６３４−１を選択し、「後行」は再生ヘッド５０−２によって得られた信号に基づくデータが記憶されているメモリ６３４−２を選択することを示している。さらに「ＮＯＰ」は、選択動作を行わないことを示している。ここで、メモリを選択したときには、図示せずも読出開始信号ＳＲの生成を行う。また、リセット信号ＦＲ−１，ＦＲ−２において、「１」はリセット動作を行うことを示しており、「０」はリセット動作を行わないことを示している。
【００５４】
図８に示す時点ｔ３の場合、ライトアドレス完了信号ＦＦ−２のみが完了を示しており、有効性フラグＦＶ−１，ＦＶ−２が共に有効状態であるから、条件１８〜２５のいずれかに該当する。また、誤り訂正結果ＣＫ−１は誤り訂正が可能であったことを示し、誤り訂正結果ＣＫ−２は誤り訂正が不能であったことを示す場合は、条件２５となり、図８Ｎに示すリセット信号ＦＲ−２のみを生成して出力する。このとき、有効性フラグＦＶ−２は無効状態とされる。
【００５５】
時点ｔ４で、書込アドレス信号ＡＲｗ−１が１シンクブロック分となって図８Ｅに示すようにライトアドレス完了信号ＦＦ−１が判定回路６３５に供給されると、判定回路６３５は、ライトアドレス完了信号ＦＦ−１，ＦＦ−２と有効性フラグＦＶ−１，ＦＶ−２、誤り訂正結果ＣＫ−１と誤り訂正結果ＣＫ−２、トラック識別情報ＴＩＤ−１，ＴＩＤ−２に基づいて、リセット信号ＦＲ−１，ＦＲ−２と選択信号ＳＥおよび読出開始信号ＳＲの生成を行う。
【００５６】
この場合、ライトアドレス完了信号ＦＦ−１のみが完了を示しており、有効性フラグＦＶ−１のみ有効状態であるから、条件５に該当し、図８Ｒに示すように選択信号ＳＥによってメモリ６３４−１を選択して、メモリ６３４−１に対して図８Ｓに示す読出アドレス信号ＡＲｒを供給して、メモリ６３４−１に記憶されている「ＴＲＡｎ」シンクブロックのデータをＣ２訂正器７０に供給する。なおメモリに記憶されているデータの読み出しは、次に、ライトアドレス完了信号ＦＦ−１あるいはライトアドレス完了信号ＦＦ−２が判定回路６３５に供給される前に完了する。また、「ＴＲＡｎ」シンクブロックは、メモリ６３４−１に記憶されているデータを用いることが確定したことから、図８Ｆに示すリセット信号ＦＲ−１のみを生成して出力する。このとき、有効性フラグＦＶ−１は無効状態とされる。
【００５７】
次に、時点ｔ５で書込アドレス信号ＡＲｗ−２が１シンクブロック分となってライトアドレス完了信号ＦＦ−２が判定回路６３５に供給された場合、ライトアドレス完了信号ＦＦ−２のみが完了を示している。また、時点ｔ３のリセット信号ＦＲ−２、時点ｔ４のリセット信号ＦＲ−１の後、図８Ｄ，図８Ｌに示すようにセット信号ＦＳ−１，ＦＳ−２が出力されて有効性フラグＦＶ−１，ＦＶ−２が共に有効状態であるから、条件１８〜２５のいずれかに該当する。また、誤り訂正結果ＣＫ−１は誤り訂正が不能であったことを示し、誤り訂正結果ＣＫ−２は誤り訂正が可能であったことを示した場合、条件１８に該当する。このため、図８Ｒに示すように選択信号ＳＥによってメモリ６３４−２を選択して、メモリ６３４−２に対して読出アドレス信号ＡＲｒを供給して、メモリ６３４−２に記憶されている「ＴＲＡｎ＋１」シンクブロックのデータをＣ２訂正器７０に供給する。また、「ＴＲＡｎ＋１」シンクブロックは、メモリ６３４−２に記憶されているデータを用いることが確定したことから、図８Ｎに示すリセット信号ＦＲ−２を生成して出力し、有効性フラグＦＶ−２を無効状態とする。さらに、図８Ｆに示すリセット信号ＦＲ−１を生成して、不要となった誤り訂正結果ＣＫ−１とトラック識別情報ＴＩＤ−１を無効状態とする。
【００５８】
時点ｔ６で書込アドレス信号ＡＲｗ−１が１シンクブロック分となってライトアドレス完了信号ＦＦ−１が判定回路６３５に供給された場合、ライトアドレス完了信号ＦＦ−２のみが完了を示しており、有効性フラグＦＶ−１，ＦＶ−２が共に無効状態であることから、条件２に該当するため、選択信号ＳＥやリセット信号ＦＲ−１，ＦＲ−２の生成は行わない。
【００５９】
時点ｔ７で書込アドレス信号ＡＲｗ−１が１シンクブロック分となってライトアドレス完了信号ＦＦ−１が判定回路６３５に供給された場合、ライトアドレス完了信号ＦＦ−１のみが完了を示している。また、時点ｔ５のリセット信号ＦＲ−１，ＦＲ−２の後に図８Ｄ，図８Ｌに示すようにセット信号ＦＳ−１，ＦＳ−２が出力されて有効性フラグＦＶ−１，ＦＶ−２が共に有効状態であるから、条件６〜９，１１〜１３，１５のいずれかに該当する。また、誤り訂正結果ＣＫ−１，ＣＫ−２は誤り訂正が可能であったことを示しており、トラック識別情報ＴＩＤ−１が目的のトラックを示し、トラック識別情報ＴＩＤ−２が目的のトラックであることを示していない場合、条件７に該当するものとなる。このため、選択信号ＳＥによってメモリ６３４−１を選択して、メモリ６３４−１に対して読出アドレス信号ＡＲｒを供給して、メモリ６３４−１に記憶されている「ＴＲＡｎ＋２」シンクブロックのデータをＣ２訂正器７０に供給する。また、「ＴＲＡｎ＋２」シンクブロックは、メモリ６３４−１に記憶されているデータを用いることが確定したことから、図８Ｆに示すリセット信号ＦＲ−１を生成して出力し、有効性フラグＦＶ−１を無効状態とする。さらに、図８Ｎに示すリセット信号ＦＲ−２を生成して、不要となった誤り訂正結果ＣＫ−２とトラック識別情報ＴＩＤ−２を無効状態とする。
【００６０】
以下同様にして、図９に示すいずれの条件に該当するかを判別して、該当する条件に応じて選択信号ＳＥやリセット信号ＦＲ−１，ＦＲ−２の生成を行い、Ｃ２訂正器７０に供給する信号の選択を行う。なお、上述のように書込アドレス信号が１シンクブロック分の１／２となったときにセット信号を判定情報出力回路に供給して誤り訂正結果やトラック識別情報をラッチさせて、書込アドレス信号が１シンクブロック分となったときに、目的のトラックのトレース状態が適正な再生ヘッドの判別を行う。さらに、適正は再生ヘッドを判別したときには、他方の再生ヘッド側の情報を無効とする場合、遅延再生データＲＥ−１ｄと再生データＲＥ−２は、±１／２シンクブロック分のずれを許容できることとなる。
【００６１】
このように、１つのトラックに対して複数の再生ヘッドをトラック幅方向にずらして設けるものとして、誤り訂正結果とトラック識別情報に基づいて、Ｃ２訂正器７０に供給する信号の選択が行われるので、広いオフトラック余裕を実現できる。また、誤ったシンクブロックのデータがＣ２訂正器に供給されてしまうことを抑制できるので、さらにエラーの発生を抑制できる。
【００６２】
さらに、再生ヘッド５０−１，５０−２を、圧電素子などのアクチュエータを介して回転ドラムに取り付けて、所謂ダイナミックトラッキングヘッド（ＤＴヘッド）を構成して、再生ヘッド５０−１，５０−２のオフトラック量に応じてアクチュエータを駆動して、目的のトラックをトレースできるように再生ヘッド５０−１，５０−２をトラック幅方向に駆動すれば、ノイズレスの特殊再生機能を維持しながら、オフトラック余裕を拡大することが可能となり、狭トラックピッチ化が図られてもトラックずれやトラック曲がり等によるエラーの発生を抑制できる。
【００６３】
なお、上述の実施の形態では、一度に１つのトラックをトレースする場合を説明したが、一度に複数のトラックをトレースする場合、例えば図１０に示すように４つのトラックを同時にトレースする場合、各トラック毎に複数の再生ヘッドをトラック幅方向に位置をずらして設ける。すなわち、トラックＴＲＡに対応させて再生ヘッド５０ａ−１，５０ａ−２、トラックＴＲＢに対応させて再生ヘッド５０ｂ−１，５０ｂ−２、トラックＴＲＣに対応させて再生ヘッド５０ｃ−１，５０ｃ−２、トラックＴＲＤに対応させて再生ヘッド５０ｄ−１，５０ｄ−２を設け、各トラック毎に、上述の処理を行うものとすれば、複数のトラックを同時にトレースする場合であっても、１つのトラックをトレースする場合と同様にオフトラック余裕を拡大できる。
【００６４】
【発明の効果】
この発明によれば、１トラックに対してトラック幅方向に位置をずらして複数の再生ヘッドが設けられて、再生ヘッドで得られた信号から生成したデータの誤り訂正結果と、複数の再生ヘッドで得られた信号によって示されたトラック識別情報を用いて、複数の再生ヘッドから目的のトラックのトレース状態が適正な再生ヘッドが判別される。このため、広いオフトラック余裕を実現できる。
【００６５】
また、誤り訂正可能であったことを示す誤り訂正結果が１つのときには、この誤り訂正結果を得たデータと対応する再生ヘッドが適正な再生ヘッドとされ、誤り訂正可能であったことを示す誤り訂正結果が複数のとき、あるいは誤り訂正可能であったことを示す誤り訂正結果が得られないときには、トラック識別情報が目的のトラックを示す信号と対応する再生ヘッドが適正な再生ヘッドと判別される。このため、目的のトラックのトレース状態が適正な再生ヘッドを容易に判別できる。
【００６６】
また、内符号パリティを用いた誤り訂正結果を用いてトレース状態が適正な再生ヘッドを判別することで、外符号パリティを用いた誤り訂正結果を用いる場合よりも負荷を軽減できる。さらに、同じシンクブロック部分をトレースした信号に基づく誤り訂正結果とトラック識別情報を用いて、適正な再生ヘッドの判別をシンクブロック単位で行うことにより、目的のトラックを複数の再生ヘッドでトレースして得た信号からシンクブロック単位で良好な信号を選択できる。
【図面の簡単な説明】
【図１】ヘッドアセンブリの構成を示す図である。
【図２】再生ヘッドの出力レベルとオフトラック量の関係を示す図である。
【図３】トラック再生状態を説明するための図である。
【図４】ビデオテープレコーダの構成を示す図である。
【図５】トラックのパターンを説明するための図である。
【図６】再生ヘッドの位置とトラック識別情報の関係を示す図である。
【図７】信号選択器の構成を示す図である。
【図８】信号選択器の動作を説明するための図である。
【図９】判定回路の動作を説明するための図である。
【図１０】複数トラックを同時にトレースする場合を示す図である。
【符号の説明】
１０，５０・・・ヘッドアセンブリ、１０−１，１０−２，５０−１，５０−２，５０ａ−１，５０ａ−２，５０ｂ−１，５０ｂ−２，５０ｃ−１，５０ｃ−２，５０ｄ−１，５０ｄ−２・・・再生ヘッド、２０・・・ビデオ圧縮器、２５・・・パリティ付加器、３０・・・記録部、３５・・・記録ヘッド、４０・・・磁気テープ、６０・・・再生信号処理部、６１−１，６１−２・・・復号回路、６２−１，６１−２・・・Ｃ１訂正器、６３・・・信号選択器、７０・・・Ｃ２訂正器、７５・・・ビデオ伸長器、６３１・・・遅延回路、６３２−１，６３２−２・・・書込アドレスカウンタ、６３３−１，６３３−２・・・判定情報出力回路、６３４−１，６３４−２・・・メモリ、６３５・・・判定回路、６３６・・・読出アドレスカウンタ、６３７・・・切換回路
【図１】
2004310866.tif 000003
【図２】
2004310866.tif 000004
【図３】
2004310866.tif 000005
【図４】
2004310866.tif 000006
【図５】
2004310866.tif 000007
【図６】
2004310866.tif 000008
【図７】
2004310866.tif 000009
【図８】
2004310866.tif 000010
【図９】
2004310866.tif 000011
【図１０】
2004310866.tif 000012